【手続補正書】
【提出日】平成30年11月9日(2018.11.9)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
第1の送信時間間隔(TTI)の間に第1の制御情報を送信するステップであって、前記第1の制御情報が、データ送信のために割り振られたTTI内のリソースを示し、前記第1の制御情報が、他のデータ送信のために割り振られた前記第1のTTI内の他のリソースをさらに示す、ステップと、
前記示されたリソースを使用して前記データを送信するステップと、
前記第1のTTIの間に第2の制御情報を送信するステップであって、前記第2の制御情報もまた、前記データ送信のための前記リソースを示し、前記第2の制御情報が、前記他のデータ送信のために割り振られた前記第1のTTI内の前記他のリソースをさらに示す、ステップと、
前記示された他のリソースを使用して前記他のデータを送信するステップと
を含む、方法。
【請求項２】
前記第1の制御情報が、第1のコンポーネントキャリア(CC)で送信され、
前記第2の制御情報が、第2のCCで送信される、
請求項1に記載の方法。
【請求項３】
前記データ送信に対応する肯定応答または否定応答(ACK/NACK)が受信されたかどうかを決定するステップであって、前記第2の制御情報を送信するステップが、前記決定に基づくものである、ステップ
をさらに含む、請求項1に記載の方法。
【請求項４】
クロス参照動作モードを起動するかどうかを決定するステップをさらに含み、前記第2の制御情報を送信するステップが、前記クロス参照動作モードが起動される場合に、前記第2の制御情報を送信するステップを含む、請求項1に記載の方法。
【請求項５】
前記決定に基づいて、前記クロス参照動作モードが起動されたという表示を送信するステップをさらに含む、請求項4に記載の方法。
【請求項６】
ワイヤレス通信のための方法であって、
第1の送信時間間隔(TTI)の間に信号を受信するステップであって、装置によって送信された前記信号が、第1の制御情報を含み、前記第1の制御情報が、データ送信のためのTTI内のリソースを示し、前記第1の制御情報が、他のデータ送信のために割り振られた前記第1のTTI内のリソースをさらに示す、ステップと、
前記受信した信号を記憶するステップと、
前記第1のTTIの間に第2の制御情報を受信するステップであって、前記第2の制御情報もまた、前記データ送信のための前記リソースを示し、前記第2の制御情報が、前記他のデータ送信のために割り振られた前記第1のTTI内のリソースをさらに示す、ステップと、
前記第2の制御情報において示された前記リソースに基づいて前記データ送信を復号するステップと、
前記他のデータ送信のための前記示されたリソースに基づいて前記他のデータ送信を復号するステップと
を含む、方法。
【請求項７】
前記第1の制御情報が、第1のコンポーネントキャリア(CC)で受信され、
前記第2の制御情報が、第2のCCで受信される、
請求項6に記載の方法。
【請求項８】
クロス参照動作モードが起動されたという表示を受信するステップであって、前記受信した信号を記憶するステップが、前記クロス参照動作モードが起動された場合に前記受信した信号を記憶するステップを含む、ステップ
をさらに含む、請求項6に記載の方法。
【請求項９】
ワイヤレス通信のための装置であって、
少なくとも1つのアンテナと、
処理システムと
を含み、
前記処理システムは、
前記少なくとも1つのアンテナを介して、第1の送信時間間隔(TTI)の間に第1の制御情報を送信することであって、前記第1の制御情報が、データ送信のために割り振られたTTI内のリソースを示し、前記第1の制御情報が、他のデータ送信のために割り振られた前記第1のTTI内の他のリソースをさらに示す、送信することと、
前記少なくとも1つのアンテナを介して、前記示されたリソースを使用して前記データを送信することと、
前記少なくとも1つのアンテナを介して、前記第1のTTIの間に第2の制御情報を送信することであって、前記第2の制御情報もまた、前記データ送信のための前記リソースを示し、前記第2の制御情報が、前記他のデータ送信のために割り振られた前記第1のTTI内の前記他のリソースをさらに示す、送信することと、
前記少なくとも1つのアンテナを介して、前記示された他のリソースを使用して前記他のデータを送信することと
を行うように構成される、装置。
【請求項１０】
前記データ送信のために割り振られた前記TTIは、前記第1のTTIの前にある第2のTTIを含む、請求項9に記載の装置。
【請求項１１】
前記第1の制御情報が、第1のコンポーネントキャリア(CC)で送信され、
前記第2の制御情報が、第2のCCで送信される、
請求項9に記載の装置。
【請求項１２】
前記処理システムは、
前記データ送信に対応する肯定応答または否定応答(ACK/NACK)が受信されたかどうかを決定することを行うようにさらに構成され、
前記第2の制御情報を送信することが、前記決定に基づくものである、請求項9に記載の装置。
【請求項１３】
前記処理システムは、
クロス参照動作モードを起動するかどうかを決定することを行うようにさらに構成され、
前記第2の制御情報を送信することが、前記クロス参照動作モードが起動される場合に、前記第2の制御情報を送信することを含む、請求項9に記載の装置。
【請求項１４】
前記処理システムは、
前記決定に基づいて、前記クロス参照動作モードが起動されたという表示を前記少なくとも1つのアンテナを介して送信することを行うようにさらに構成される、請求項13に記載の装置。
【請求項１５】
ワイヤレス通信のための装置であって、
メモリと、
処理システムと
を含み、
前記処理システムは、
第1の送信時間間隔(TTI)の間に信号を受信することであって、前記装置によって送信された前記信号が、第1の制御情報を含み、第1の制御情報が、データ送信のためのTTI内のリソースを示し、前記第1の制御情報が、他のデータ送信のために割り振られた前記第1のTTI内のリソースをさらに示す、受信することと、
前記受信された信号を前記メモリに記憶することと、
前記第1のTTIの間に第2の制御情報を受信することであって、前記第2の制御情報もまた、前記データ送信のための前記リソースを示し、前記第2の制御情報が、前記他のデータ送信のために割り振られた前記第1のTTI内のリソースをさらに示す、受信することと、
前記第2の制御情報において示された前記リソースに基づいて前記データ送信を復号することと、
前記他のデータ送信のための前記示されたリソースに基づいて前記他のデータ送信を復号することと
を行うように構成される、装置。
【請求項１６】
前記データ送信のために割り振られた前記TTIは、前記第1のTTIの前にある第2のTTIを含む、請求項15に記載の装置。
【請求項１７】
前記データ送信は、前記他のデータ送信の再送信であり、
前記データ送信を復号することおよび前記他のデータ送信を復号することは、前記データ送信および前記他のデータ送信を結合することを含む、請求項16に記載の装置。
【請求項１８】
前記第1の制御情報が、第1のコンポーネントキャリア(CC)で受信され、
前記第2の制御情報が、第2のCCで受信される、
請求項15に記載の装置。
【請求項１９】
前記処理システムは、
クロス参照動作モードが起動されたという表示を受信することを行うようにさらに構成され、
前記受信された信号を記憶することが、前記クロス参照動作モードが起動された場合に前記受信された信号を記憶することを含む、請求項15に記載の装置。
【請求項２０】
前記データ送信のために割り振られた前記TTIは、前記第1のTTIの前にある第2のTTIを含む、請求項1に記載の方法。
【請求項２１】
前記データ送信のために割り振られた前記TTIは、前記第1のTTIの前にある第2のTTIを含む、請求項6に記載の方法。
【請求項２２】
前記データ送信は、前記他のデータ送信の再送信であり、
前記データ送信を復号するステップおよび前記他のデータ送信を復号するステップは、前記データ送信および前記他のデータ送信を結合するステップを含む、請求項21に記載の方法。